(57)【特許請求の範囲】
【請求項１】
着用者の腹側に配される腹側外装体と、着用者の背側に配される背側外装体と、該腹側外装体と該背側外装体との間を架け渡すようにこれらの外装体に固定された吸収性本体と、該吸収性本体の外面側に配置された股下シートとを具備し、該腹側外装体及び該背側外装体の縦方向に沿う両側縁部に該腹側外装体と該背側外装体とを接合して形成されたサイドシール部を有し、これにより構成された環状外装部を備えるパンツ型吸収性物品であって、
前記物品は、吸収性本体の延びる方向に沿う長手方向と、それに直交する幅方向とを有し、
吸収性本体は、着用者の肌に近い側に位置する表面シートと、着用者の肌から遠い側に位置する裏面シートと、両シート間に位置する吸収コアとを具備し、
吸収コアは、長手方向に沿う一条又は複数条の変形誘導領域を有し、
腹側外装体と吸収性本体との接合が、幅方向に延び、長手方向に間欠している複数条の腹側接合部において行われ、
背側外装体と吸収性本体との接合が、幅方向に延び、長手方向に間欠している複数条の背側接合部において行われ、
股下シートと裏面シートとの接合が、長手方向に延び、かつ幅方向に間欠している複数条の股下接合部において行われ、
腹側外装体と吸収性本体との接合領域ＫＳFと、股下シートと吸収性本体との接合領域ＭＳとが重なる領域ＳＧFの長手方向の長さが、接合領域ＫＳFの長手方向の長さの５％以上５０％以下であり、
背側外装体と吸収性本体との接合領域ＫＳBと、股下シートと吸収性本体との接合領域ＭＳとが重なる領域ＳＧBの長手方向の長さが、接合領域ＫＳBの長手方向の長さの５％以上５０％以下である、パンツ型吸収性物品。
【請求項２】
腹側外装体と吸収性本体との接合領域ＫＳFと、股下シートと吸収性本体との接合領域ＭＳとが重なる領域ＳＧFの長手方向の長さが、前記物品を長手方向に前後二等分する位置から腹側部側の股下シートの端部までの長さＭＳFに対して５０％以下であり、
背側外装体と吸収性本体との接合領域ＫＳBと、股下シートと吸収性本体との接合領域ＭＳとが重なる領域ＳＧBの長手方向の長さが、前記物品を長手方向に前後二等分する位置から背側部側の股下シートの端部までの長さＭＳBに対して５０％以下である請求項１に記載のパンツ型吸収性物品。
【請求項３】
吸収性本体の腹側部側の端部及び背側部側の端部を覆う腹側端部シート及び背側端部シートが、該吸収性本体の肌対向面側に配置されており、
腹側端部シート及び背側端部シートは、吸収性本体の周縁から延出する部位において腹側外装体及び背側外装体と接合されている請求項１又は２に記載のパンツ型吸収性物品。
【請求項４】
腹側端部シートが、幅方向に延び、長手方向に間欠している複数条の腹側端部接合部において、腹側外装体及び吸収性本体と接合しており、
背側端部シートが、幅方向に延び、長手方向に間欠している複数条の背側端部接合部において、背側外装体及び吸収性本体と接合している請求項３に記載のパンツ型吸収性物品。
【請求項５】
腹側端部シートと吸収性本体とが重なる領域ＬＳFの長手方向の長さが、腹側外装体と吸収性本体との接合領域ＫＳFの長手方向の長さに対して５０％以下であり、
背側端部シートと吸収性本体とが重なる領域ＬＳBの長手方向の長さが、背側外装体と吸収性本体との接合領域ＫＳBの長手方向の長さに対して５０％以下である請求項３又は４に記載のパンツ型吸収性物品。
【請求項６】
腹側端部シート及び背側端部シートが股下シートと重なっていない請求項３ないし５のいずれか一項に記載のパンツ型吸収性物品。
【請求項７】
腹側外装体が、外層シートと該外層シートの内側に配置された内層シートとを有し、該外層シートと腹側端部シートとが同材質のものであり、
背側外装体が、外層シートと該外層シートの内側に配置された内層シートとを有し、該外層シートと背側端部シートとが同材質のものである請求項３ないし６のいずれか一項に記載のパンツ型吸収性物品。
【請求項８】
腹側端部シートと吸収性本体とが重なる領域ＬＳFにおいて吸収性本体の周縁から外方に延出する所定幅の領域に接着剤が連続して隙間なく塗布され、該接着剤によって腹側端部シートと吸収性本体とが接合されており、
背側端部シートと吸収性本体とが重なる領域ＬＳBにおいて吸収性本体の周縁から外方に延出する所定幅の領域に接着剤が連続して隙間なく塗布され、該接着剤によって背側端部シートと吸収性本体とが接合されている請求項３ないし７のいずれか一項に記載のパンツ型吸収性物品。
【請求項９】
吸収性本体は、吸収コアの左右両側縁又はその近傍から幅方向中心側に向けて起立する第１立体ギャザーと、吸収コアの左右両側縁又はその近傍から幅方向外方側に向けて起立する第２立体ギャザーとを有し、
股下シートの幅が、左右の第２立体ギャザーの自由端間の距離と同じか又はそれよりも狭くなっている請求項１ないし８のいずれか一項に記載のパンツ型吸収性物品。
【請求項１０】
股下シートの幅が、吸収コアの幅と略同じになっている請求項１ないし９のいずれか一項に記載のパンツ型吸収性物品。
【請求項１１】
腹側外装体と吸収性本体との接合領域ＫＳFと、股下シートと吸収性本体との接合領域ＭＳとが重なる領域ＳＧFが、吸収コアの変形誘導領域と重なっておらず、
背側外装体と吸収性本体との接合領域ＫＳBと、股下シートと吸収性本体との接合領域ＭＳとが重なる領域ＳＧBが、吸収コアの変形誘導領域と重なっていない請求項１ないし１０のいずれか一項に記載のパンツ型吸収性物品。
【発明の詳細な説明】
【技術分野】
【０００１】
本発明はパンツ型吸収性物品に関する。
【背景技術】
【０００２】
従来、外装体が着用者の腹側に配される腹側外装体と着用者の背側に配される背側外装体とに分割されており、吸収性本体が腹側外装体及び背側外装体に架け渡されるように固定されているとともに、腹側外装体の左右の両側縁部と背側外装体の左右両側縁部とが接合されているパンツ型使い捨ておむつが知られている（例えば特許文献１及び２参照）。このおむつによれば、おむつの製造工程において外装体の原反からトリムを除去することが不要となるか、又は除去すべきトリムの量を低減することができるので、経済的に有利であり、また環境負荷の低減の点からも望ましい。
【先行技術文献】
【特許文献】
【０００３】
【特許文献１】特開２００８−１９４１６１号公報
【特許文献２】特開２０１１−１５６１２１号公報
【発明の概要】
【発明が解決しようとする課題】
【０００４】
しかし、前記の構成を有するおむつにおいては、おむつを装着するときや、装着している間に、おむつと着用者の身体とが擦れ合うことに起因して、外装体が吸収性本体から意図せず剥離してしまう場合がある。外装体と吸収性本体との間の接合力を高めることで、そのような剥離を防止することは可能であるものの、接合力を高めることに起因して、おむつの柔らかさが損なわれたり、通気性が損なわれたりすることがある。
【０００５】
したがって本発明の課題は、前述した従来技術が有する欠点を解消し得るパンツ型吸収性物品を提供することにある。
【課題を解決するための手段】
【０００６】
本発明は、着用者の腹側に配される腹側外装体と、着用者の背側に配される背側外装体と、該腹側外装体と該背側外装体との間を架け渡すようにこれらの外装体に固定された吸収性本体と、該吸収性本体の外面側に配置された股下シートとを具備し、該腹側外装体及び該背側外装体の縦方向に沿う両側縁部に該腹側外装体と該背側外装体とを接合して形成されたサイドシール部を有し、これにより構成された環状外装部を備えるパンツ型吸収性物品であって、
前記物品は、吸収性本体の延びる方向に沿う長手方向と、それに直交する幅方向とを有し、
吸収性本体は、着用者の肌に近い側に位置する表面シートと、着用者の肌から遠い側に位置する裏面シートと、両シート間に位置する吸収コアとを具備し、
吸収コアは、長手方向に沿う一条又は複数条の変形誘導領域を有し、
腹側外装体と吸収性本体との接合が、幅方向に延び、長手方向に間欠している複数条の腹側接合部において行われ、
背側外装体と吸収性本体との接合が、幅方向に延び、長手方向に間欠している複数条の背側接合部において行われ、
股下シートと裏面シートとの接合が、長手方向に延び、かつ幅方向に間欠している複数条の股下接合部において行われ、
腹側外装体と吸収性本体との接合領域ＫＳFと、股下シートと吸収性本体との接合領域ＭＳとが重なる領域ＳＧFの長手方向の長さが、接合領域ＫＳFの長手方向の長さの５０％以下であり、
背側外装体と吸収性本体との接合領域ＫＳBと、股下シートと吸収性本体との接合領域ＭＳとが重なる領域ＳＧBの長手方向の長さが、接合領域ＫＳBの長手方向の長さの５０％以下である、パンツ型吸収性物品を提供するものである。
【発明の効果】
【０００７】
本発明によれば、吸収性物品の柔らかや通気性を損なうことなく、外装体が吸収性本体から剥離することを効果的に防止することが可能となる。
【図面の簡単な説明】
【０００８】
【図１】図１は、本発明のパンツ型吸収性物品の一実施形態としてのパンツ型使い捨ておむつを示す斜視図である。
【図２】図２は、図１に示すおむつを伸長させて拡げた状態を表面シート側から見た展開平面図である。
【図３】図３は、図１におけるIII−III線断面図である。
【図４】図４（ａ）は、図２に示すおむつにおける吸収コアの平面図であり、図４（ｂ）は、図４（ａ）におけるｂ−ｂ線断面図である。
【図５】図５は、図２に示すおむつを裏面シート側から見た平面図であり、腹側及び背側外装体と吸収性本体と股下シートとの配置関係を示す図である。
【図６】図６は、図２に示すおむつにおける吸収性本体と股下シートとの接合状態を示す平面図である。
【図７】図７は、図２に示すおむつにおける腹側及び背側外装体と吸収性本体との接合状態を示す平面図である。
【図８】図８は、図２に示すおむつにおける腹側及び背側外装体と吸収性本体と股下シートとの接合状態を示す平面図である。
【図９】図９は、図２に示すおむつにおける腹側及び背側部端部シートと腹側及び背側外装体と吸収性本体との配置関係を示す平面図である。
【図１０】図１０は、図２におけるＸ−Ｘ線断面図である。
【図１１】図１１は、図２に示すおむつにおける腹側及び背側部端部シートと腹側及び背側外装体と吸収性本体との接合状態を示す平面図である。
【発明を実施するための形態】
【０００９】
以下本発明を、その好ましい実施形態に基づき図面を参照しながら説明する。図１及び図２には、本発明の一実施形態としてのパンツ型使い捨ておむつ１（以下、「おむつ１」ともいう）が示されている。おむつ１は、着用状態において着用者の腹側に配される矩形のシート状の腹側外装体２Ａと、着用者の背側に配される矩形のシート状の背側外装体２Ｂと、腹側外装体２Ａ及び背側外装体２Ｂに架け渡して固定された吸収性本体３とを具備する。腹側外装体２Ａの両側縁部２ａ，２ａと背側外装体２Ｂの両側縁部２ｂ，２ｂとは接合されており、それによって一対のサイドシール部４，４が形成される。その結果、腹側外装体２Ａ及び背側外装体２Ｂから構成される環状外装部１０が形成される。
【００１０】
おむつ１は図１及び図２に示すとおり着用状態において、着用者の腹側に配される腹側部Ａと、着用者の背側に配される背側部Ｂと、腹側部Ａと背側部Ｂとの間に位置し着用者の股間部に配される股下部Ｃとを有している。おむつ長手方向は腹側部Ａから股下部Ｃを経て背側部Ｂにわたる方向又はその逆方向（図２中Ｙ方向）であり、この方向は吸収性本体３の延びる方向と同方向である。おむつ幅方向は着用者の胴回り方向に沿う方向であり、長手方向と直交する方向（図２中、Ｘ方向）である。以下、おむつ長手方向を単にＹ方向ともいい、おむつ幅方向を単にＸ方向ともいう。
また、以下の説明において「外面（外面側）」とは、おむつ着用時に、着用者の肌側とは反対側に向けられる面（面側）のことである。「内面（内面側）」とは、おむつ着用時に、着用者の肌側に向けられる面（面側）のことである。
【００１１】
おむつ１の吸収性本体３は、図２及び同図におけるIII−III線断面図である図３に示すとおり、液透過性の表面シート３１、液不透過性又は撥水性の裏面シート３２、及び両シート３１，３２間に介在配置された液保持性の吸収コア３３を有している。吸収性本体３は、長手方向Ｙに長い矩形状に形成されている。おむつ１の着用状態において、表面シート３１は着用者の肌に近い側に位置する。一方、裏面シート３２は着用者の肌から遠い側に位置する。
【００１２】
吸収性本体３は、吸収コア３３の左右両側縁又はその近傍から幅方向Ｘの中心側に向けて起立する第１立体ギャザー３４を有している。更に吸収性本体３は、吸収コア３３の左右両側縁又はその近傍から幅方向Ｘの外方側に向けて起立する第２立体ギャザー３５を有している。第１立体ギャザー３４及び第２立体ギャザー３５は、それらの基端部３６が同じ位置に位置している。基端部３６は、上述のとおり、吸収コア３３の左右両側縁又はその近傍に位置している。基端部３６は、長手方向Ｙに延びている。第１立体ギャザー３４及び第２立体ギャザー３５は、吸収性本体３における少なくとも股下部Ｃに形成されており、股下部Ｃを越えて腹側部Ａ及び背側部Ｂにまで延在していることが好ましい。
【００１３】
第１立体ギャザー３４は、その自由端３４ａ及びその近傍に位置する糸状弾性部材３４ｂ，３４ｃを有している。糸状弾性部材３４ｂ，３４ｃはいずれも長手方向Ｙに延びている。糸状弾性部材３４ｂ，３４ｃは伸長状態で、ギャザー形成用シート３７に固定されている。第１立体ギャザー３４と同様に、第２立体ギャザーも、その自由端３５ａ及びその近傍に位置する糸状弾性部材３５ｂ，３５ｃを有している。糸状弾性部材３５ｂ，３５ｃはいずれも長手方向Ｙに延びている。糸状弾性部材３５ｂ，３５ｃは伸長状態で、ギャザー形成用シート３７に固定されている。
【００１４】
第１立体ギャザー３４及び第２立体ギャザー３５は一枚のギャザー形成用シート３７から形成されている。詳細には、ギャザー形成用シート３７は、長手方向に延びる矩形のシートであり、長手方向に延びる左右の第１側縁部３７ａ及び第２側縁部３７ｂを有する。この矩形のシートのうちの第１側縁部３７ａを基端部３６に位置させる。そして第１側縁部３７ａから幅方向中心側へ所定の距離隔てた位置において、長手方向に延びる第１折曲線３７ｃに沿ってギャザー形成用シート３７を二つ折りする。この第１折曲線３７ｃの位置が第１立体ギャザー３４の自由端３４ａとなる。そして二つ折りした第１折曲線３７ｃの位置及びその近傍の位置に糸状弾性部材３４ｂ，３４ｃを伸長状態で配置して、該糸状弾性部材３４ｂ，３４ｃを２層に重なり合うギャザー形成用シート３７間に接合固定する。更に、ギャザー形成用シート３７のうち、二つ折りによって折り返された方の部位における基端部３６に対応する位置が、該ギャザー形成用シート３７の第１側縁部３７ａと接合される。これによって、第１立体ギャザー３４が形成される。更に、ギャザー形成用シート３７のうち、基端部３６において接合された部位よりも第２側縁部３７側に位置する部位を、幅方向Ｘの外方に延出させる。そして、延出した当該部位のうち、基端部３６から幅方向外方側へ所定の距離隔てた位置において、長手方向Ｙに延びる第２折曲線３７ｄに沿ってギャザー形成用シート３７を再び二つ折りする。この第２折曲線３７ｄの位置が第２立体ギャザー３５の自由端３５ａとなる。そして二つ折りした第２折曲線３７ｄの位置及びその近傍の位置に糸状弾性部材３５ｂ，３５ｃを伸長状態で配置して、該糸状弾性部材３５ｂ，３５ｃを２層に重なり合うギャザー形成用シート３７間に接合固定する。更に、ギャザー形成用シート３７のうち、第２折曲線３７ｄでの二つ折りによって折り返された方の部位における基端部３６に対応する位置が、該ギャザー形成用シート３７の第１側縁部３７ａと接合される。これによって、第２立体ギャザー３５が形成される。更に、ギャザー形成用シート３７のうち、基端部３６において接合された部位よりも第２側縁部３７ｂ側に位置する部位を、吸収コア３３の下面側、すなわち肌非対向面側に配置する。したがって、ギャザー形成用シート３７のうち、第２側縁部３７ｂ側に位置する部位は、図３に示すとおり、吸収コア３３と、後述する股下シート６との間に位置している。
【００１５】
吸収性本体３における吸収コア３３としては、例えばフラッフパルプ等の親水性繊維と高吸収性ポリマーとの混合積繊体３３ａをティッシュペーパーや親水性不織布などの親水性コアラップシート３３ｂによって被覆したものを用いることができる。親水性不織布としては、例えば親水化したスパンボンド−メルトブローン−スパンボンド不織布などを用いることができる。また、吸収性本体３における表面シート３１、裏面シート３２、及びギャザー形成用シート３７としては、使い捨ておむつ等の吸収性物品に従来用いられている各種のもの等を特に制限なく用いることができる。例えば、表面シート３１としては、単層又は多層構造の不織布や、開孔フィルム等を用いることができる。裏面シート３２としては、樹脂フィルムや樹脂フィルムと不織布の積層体等を用いることができる。ギャザー形成用シート３７としては、撥水性の不織布等を用いることができる。
【００１６】
図３並びに図４（ａ）及び（ｂ）に示すとおり、吸収コア３３は、長手方向Ｙに沿って延びる複数条の変形誘導領域３３ｃを有している。変形誘導領域３３ｃは、吸収性本体３における少なくとも股下部Ｃに形成されており、股下部Ｃを越えて腹側部Ａ及び背側部Ｂにまで延在していることが好ましい。変形誘導領域３３ｃは、該変形誘導領域３３ｃに沿って吸収コア３３を変形させる可撓軸となる部位である。この目的のために、変形誘導領域３３ｃとして、図４（ａ）及び（ｂ）に示すとおり、吸収コア３３をその厚み方向に貫く開口部を採用することができる。また変形誘導領域３３ｃとして、吸収コア３３における他の領域よりも坪量の低い低坪量部を採用することができる。あるいは変形誘導領域３３ｃとして、吸収コア３３における他の領域よりも厚みの薄い低厚み部を採用することができる。変形誘導領域３３ｃを吸収コア３３に形成することによって、該吸収コア３３の剛性を減じることができ、おむつ１をその全体として柔らかな風合いのものとすることができる。柔らかな風合いは、後述するとおり、吸収性本体３と股下シート６との接合パターンを、長手方向Ｙに延び、かつ幅方向Ｘに間欠している複数条の接合パターンとすることで一層顕著なものとなる。なお、図３並びに図４（ａ）及び（ｂ）には、複数条の変形誘導領域３３ｃが形成されている状態が示されているが、おむつ１に要求される柔らかさの程度に応じ、変形誘導領域３３ｃを一条のみ形成してもよい。
【００１７】
図３に示すとおり、吸収性本体３における裏面シート３２の外面には、股下シート６が配置されている。図５に示すとおり、股下シート６は、長手方向Ｙに関し、吸収性本体３における少なくとも股下部Ｃに配置されており、股下部Ｃを越えて腹側部Ａ及び背側部Ｂにまで延在していることが好ましい。股下シート６のうち、腹側部Ａ及び背側部Ｂに位置している部位は、吸収性本体３と腹側外装体２Ａ及び背側外装体２Ｂとの間に配置されている。したがって、腹側部Ａ及び背側部Ｂにおいては、股下シート６は、おむつ１の外面に露出していない。股下シート６は、股下部Ｃにおいてのみ、おむつ１の外面に露出している。股下シート６は、機械的強度が低い場合がある裏面シート３２を被覆することで該裏面シート３２を保護する目的で使用される。また、おむつ１の外観の印象や肌触りを向上させる目的で使用される。
【００１８】
股下シート６の幅は、先に述べた左右の第２立体ギャザー３５の自由端３５ａ間の距離と同じか又はそれよりも狭くなっていることが好ましい。こうすることで、第２立体ギャザー３５の伸縮性を阻害することなく、おむつ１の外観の印象や肌触りを向上させることができるので好ましい。更に股下シート６の幅は、吸収コア３３の幅と同じになっていることが好ましい。こうすることが、おむつ１の外観や肌触りを向上させる点で最も効果的である。なお、本実施形態においては、吸収コア３３が平面視して略矩形のものであるので、長手方向Ｙに沿って見たとき該吸収コア３３の幅は一定であるが、場合によっては吸収コア３３の形状によっては、その幅が長手方向Ｙに沿って見たときに異なる場合がある。そのような場合には、股下シート６の幅は、吸収コア３３の最大幅と同じであることが好ましい。
【００１９】
図３及び図６に示すとおり、吸収性本体３と股下シート６とは、吸収性本体３の裏面シート３２と股下シート６とが、長手方向Ｙに延び、かつ幅方向Ｘに間欠している複数条の股下接合部６ａにおいて接合されている。各股下接合部６ａは、例えば接着剤の塗布によって形成されている。各股下接合部６ａは、所定幅を有するストライプ状に形成されている。しかし、各股下接合部６ａの形成パターンはこれに限られず、長手方向Ｙに沿って筋状に形成されている限り他のパターンで形成されていてもよい。例えばスパイラル状の接合パターンや、Ω字状の接合パターンを採用してもよい。各股下接合部６ａは、股下シート６の長手方向全域にわたって連続又は不連続に形成されている。幅方向Ｘにおいて隣り合う股下接合部６ａ間においては、裏面シート３２と股下シート６とは非接合状態になっている。
【００２０】
裏面シート３２と股下シート６とを図３及び図６に示すパターンの股下接合部６ａにおいて接合することで、吸収性本体３の剛性を減じることができ、おむつ１をその全体として柔らかな風合いのものとすることができる。特に、股下接合部６ａの延びる方向と、吸収コア３３に形成された変形誘導領域３３ｃの延びる方向とが一致していることに起因して、吸収性本体３の剛性の剛性を一層減じることが可能になる。
【００２１】
裏面シート３２と股下シート６とを接合している股下接合部６ａのうち、幅方向Ｘの最も外方に位置する股下接合部６ａは、その全長にわたって連続して形成されていることが好ましい。これによって、おむつ１の装着状態において着用者の身体が股下シート６と擦れ合った場合でも、該股下シート６が裏面シート３２から剥離しづらくなる。
【００２２】
図２に戻ると、腹側外装体２Ａは、おむつ１の展開かつ伸長状態（図２参照）において横長の矩形状をなしており、Ｙ方向に沿う左右一対の側縁部２ａ，２ａと、Ｘ方向に沿う上下一対の端縁部２ｃ，２ｄ（上側端縁部２ｃ、下側端縁部２ｄ）とを有している。背側外装体２Ｂも同様に、おむつ１の展開かつ伸長状態（図２参照）において横長の矩形状をなしており、Ｙ方向に沿う左右一対の側縁部２ｂ，２ｂと、Ｘ方向に沿う上下一対の端縁部２ｃ，２ｄ（上側端縁部２ｃ、下側端縁部２ｄ）とを有している。腹側外装体２Ａと背側外装体２Ｂは、図２に示すように、長手方向Ｙの長さが幅方向Ｘにおいて均一である。しかしながら、腹側外装体２Ａと背側外装体２Ｂのいずれか一方の長手方向Ｙの長さが、当該外装体の一部において他方の外装体より長くなされていてもよい。例えば、背側外装体２Ｂがサイドシール部４，４よりも長手方向Ｙにおいて股下部Ｃ側へ延出し、臀部を覆うような形態が挙げられる。要は、腹側外装体２Ａと背側外装体２Ｂとが股部において連続しておらず、両外装体がサイドシール部４，４で接合され、環状の外装部１０を形成していればよい。
【００２３】
そして、腹側外装体２Ａの側縁部２ａと背側外装体２Ｂの側縁部２ｂとが合掌状に接合されていることによって、図１に示すとおり、おむつ１に一対のサイドシール部４，４が形成される。この接合には、例えばヒートシール、高周波シール、超音波シール、接着剤等の公知の接合手段が用いられる。またこの接合によって、サイドシール部４，４とともに、図１に示すとおり、ウエスト開口部５及び一対のレッグ開口部６が形成される。
【００２４】
吸収性本体３は、図２に示すとおり、長手方向Ｙの一端側（腹側外装体２Ａと重なっている部分）が腹側外装体２Ａの幅方向Ｘの中央領域に接着剤（図示せず）を介して固定されている。同様に、長手方向Ｙの他端側（背側外装体２Ｂと重なっている部分）が、背側外装体２Ｂの幅方向Ｙの中央領域に接着剤（図示せず）を介して固定されている。吸収性本体３と腹側外装体２Ａとの接合の詳細、及び吸収性本体３と背側外装体２Ｂとの接合の詳細については後述する。
【００２５】
以下の説明においては、主としておむつ１の腹側外装体２Ａの構成について説明するが、特に断らない限り背側外装体２Ｂも同様の構成を有している。したがって、背側外装体２Ｂに関して特に説明しない点については、腹側外装体２Ａについての説明が適用される。
【００２６】
おむつ１における腹側外装体２Ａは図２に示すとおり、外層シート２２と内層シート２３とを備えている。外層シート２２は腹側外装体２Ａの最外面をなしている。内層シート２３は、外層シート２２の内側において該外層シート２２に隣接させて配されている。幅方向Ｘに関しては、外層シート２２と内層シート２３とは同形をしている。長手方向Ｙに関しても、外層シート２２と内層シート２３とは同形をしている。
【００２７】
外層シート２２と内層シート２３との間には、糸状又は帯状の複数本の胴回り弾性部材５１が配されている。各胴回り弾性部材５１は幅方向Ｘに延びており、伸長状態で外層シート２２と内層シート２３との間に固定されている。ただし腹側外装体２Ａのうち、吸収性本体３と重なる部位には、弾性部材５１が配されていないか、又は弾性部材５１が配されているとしても、該弾性部材５１の弾性が発現されないような状態で配されている。おむつ１の着用状態においては、胴回り弾性部材５１の収縮によって、外層シート２２に多数の襞ないし凹凸が生じてギャザーが形成される（図１参照）。ただし腹側外装体２Ａのうち、吸収性本体３と重なる部位にはギャザーは形成されていない。
【００２８】
図５に示すとおり、吸収性本体３はその長手方向Ｙの中央域がおむつ１の股下部Ｃをなし、該股下部Ｃから長手方向Ｙの前後に延出した領域が腹側外装体２Ａ及び背側外装体２Ｂと積層されて接合されている。吸収性本体３は、腹側外装体２Ａ及び背側外装体２Ｂにおける肌対向面側において、これらの外装体２Ａ、２Ｂと積層されて接合されている。腹側外装体２Ａと吸収性本体３との接合は、図７に示すとおり、幅方向Ｘに延び、長手方向Ｙに間欠している複数条の腹側接合部２１ａにおいて行われている。一方、背側外装体２Ｂと吸収性本体３との接合も、幅方向Ｘに延び、長手方向Ｙに間欠している複数条の背側接合部２１ｂにおいて行われている。このようなパターンで腹側外装体２Ａ及び背側外装体２Ｂと吸収性本体３とを接合することで、おむつ１の柔らかさや通気性を損なうことなく、両者を接合することができる。
【００２９】
腹側接合部２１ａ及び背側接合部２１ｂは、例えば接着剤の塗布によって形成されている。腹側接合部２１ａ及び背側接合部２１ｂは、所定幅を有するストライプ状に形成されている。しかし、腹側接合部２１ａ及び背側接合部２１ｂの形成パターンはこれに限られず、幅方向Ｘに沿って筋状に形成されている限り他のパターンで形成されていてもよい。例えばスパイラル状の接合パターンや、Ω字状の接合パターンを採用してもよい。腹側接合部２１ａ及び背側接合部２１ｂは、吸収性本体３の幅方向Ｘにわたって連続又は不連続に形成されている。長手方向Ｙにおいて隣り合う腹側接合部２１ａ間及び背側接合部２１ｂ間においては、吸収性本体３と腹側外装体２Ａ及び背側外装体２Ｂとは非接合状態になっている。
【００３０】
腹側外装体２Ａと吸収性本体３とを接合している腹側接合部２１ａのうち、図７に示すとおり、長手方向Ｘの最も外方に位置する腹側接合部２１ａ’は、その全長にわたって連続して形成されていることが好ましい。また、長手方向Ｘの最も内方に位置する腹側接合部２１ａ”も、その全長にわたって連続して形成されていることが好ましい。これによって、腹側外装体２Ａと吸収性本体３との接合が確実になり、おむつ１の装着状態において着用者の身体が腹側外装体２Ａや吸収性本体３と擦れ合った場合でも、腹側外装体２Ａが吸収性本体３から剥離しづらくなる。
【００３１】
前記と同様の理由によって、背側外装体２Ｂと吸収性本体３とを接合している背側接合部２１ｂのうち、図７に示すとおり、長手方向Ｘの最も外方に位置する背側接合部２１ｂ’、及び長手方向Ｘの最も内方に位置する背側接合部２１ｂ”は、その全長にわたって連続して形成されていることが好ましい。
【００３２】
図８には、腹側外装体２Ａと吸収性本体３との接合領域が符号ＫＳFで示されている。また同図には、背側外装体２Ｂと吸収性本体３との接合領域が符号ＫＳBで示されている。同図中、接合領域ＫＳF及び接合領域ＫＳBはいずれも右下がりのハッチングで示されている。更に同図には、股下シート６と吸収性本体３との接合領域が符号ＭＳで示されている。同図中、接合領域ＭＳは、左下がりのハッチングで示されている。同図から明らかなとおり、腹側部Ａにおいては、接合領域ＫＳFと接合領域ＭＳとが重なっている領域、すなわち、右下がりのハッチングと左下がりのハッチングとが交差している領域が存在している。この領域を重なり領域と呼び符号ＳＧFで示す。一方、背側部Ｂにおいても、接合領域ＫＳBと接合領域ＭＳとが重なっている領域、すなわち、右下がりのハッチングと左下がりのハッチングとが交差している領域が存在している。この領域を重なり領域と呼び符号ＳＧBで示す。
【００３３】
本実施形態においては、腹側部Ａにおいて、重なり領域ＳＧFの長手方向Ｙの長さが、接合領域ＫＳFの長手方向Ｙの長さの５０％以下となっており、好ましくは４５％以下、更に好ましくは３５％以下となっている。この値の下限値は５％以上であることが好ましく、１０％以上であることが更に好ましく、１５％以上であることが一層好ましい。例えば重なり領域ＳＧFの長手方向Ｙの長さは、接合領域ＫＳFの長手方向Ｙの長さの５％以上５０％以下であることが好ましく、１０％以上４５％以下であることが更に好ましく、１５％以上３５％以下であることが一層好ましい。一方、背側部Ｂにおいては、重なり領域ＳＧBの長手方向Ｙの長さが、接合領域ＫＳBの長手方向Ｙの長さの５０％以下となっており、好ましくは４５％以下、更に好ましくは３５％以下となっている。この値の下限値は５％以上であることが好ましく、１０％以上であることが更に好ましく、１５％以上であることが一層好ましい。例えば重なり領域ＳＧBの長手方向Ｙの長さは、接合領域ＫＳBの長手方向Ｙの長さの５％以上５０％以下であることが好ましく、１０％以上４５％以下であることが更に好ましく、１５％以上３５％以下であることが一層好ましい。本実施形態において、重なり領域ＳＧF，ＳＧBの長手方向Ｙの長さを、接合領域ＫＳF，ＫＳBの長手方向Ｙの長さに対して上述の範囲に設定することで、おむつ１の柔らかさや通気性を損なうことなく、おむつ１の装着状態において各外装体２Ａ，２Ｂが吸収性本体３から意図せず剥がれてしまうことを効果的に防止することが可能となる。
【００３４】
おむつ１の柔らかや通気性を損なうことなく、外装体２Ａ，２Ｂが吸収性本体３から剥離することを更に効果的に防止する観点から、おむつ１を長手方向に前後二等分する位置Ｍから腹側部２Ａ側の股下シート６の端部６’までの長さＭＳFに対して、重なり領域ＳＧFの長手方向の長さを５０％以下とし、好ましくは３５％以下、更に好ましくは２５％以下とする。この値の下限値は２％以上であることが好ましく、５％以上であることが更に好ましく、１０％以上であることが一層好ましい。また、位置Ｍから背側部２Ｂ側の股下シート６の端部６”までの長さＭＳBに対して、重なり領域ＳＧBの長手方向の長さを５０％以下とし、好ましくは３５％以下、更に好ましくは２５％以下とする。この値の下限値は２％以上であることが好ましく、５％以上であることが更に好ましく、１０％以上であることが一層好ましい。例えば長さＭＳFに対する重なり領域ＳＧFの長手方向の長さは、好ましくは２％以上５０％以下であり、更に好ましくは５％以上３５％以下であり、一層好ましくは１０％以上２５％以下である。また、長さＭＳBに対する重なり領域ＳＧBの長手方向の長さは、好ましくは２％以上５０％以下であり、更に好ましくは５％以上３５％以下であり、一層好ましくは１０％以上２５％以下である。
【００３５】
上述した重なり領域ＳＧF，ＳＧBに関し、腹側部Ａにおいては重なり領域ＳＧFと、先に述べた吸収コア３３の変形誘導領域３３ｃとが、おむつ１の厚み方向において重ならないことが好ましい。同様に背側部Ｂにおいても、重なり領域ＳＧBと、吸収コア３３の変形誘導領域３３ｃとが、おむつ１の厚み方向において重ならないことが好ましい。こうすることで、重なり領域における複数のシートの積層に起因する剛性の高まりや、接着に起因する剛性の高まりで、吸収体の好ましい変形が妨げられることが効果的に防止されるとともに、吸収コア３３の変形に起因する外装体の臀部被覆性の低下を効果的に防止することができる。
【００３６】
また、上述した腹側部Ａの接合領域ＫＳF及び背側部Ｂの接合領域ＫＳBに関し、これらの接合領域ＫＳF，ＫＳBの単位面積当たりの長手方向接合強度が、上述した接合領域ＭＳの単位面積当たりの幅方向接合強度よりも高く、また、接合領域ＫＳF，ＫＳBの単位面積当たりの幅方向接合強度が、接合領域ＭＳの単位面積当たりの長手方向接合強度よりも高いことが、使用時における接合領域ＫＳF，ＫＳBの剥がれを効果的に防止しながら、柔らかさ、肌触り及び通気性を向上させる観点から好ましい。接合強度の大小関係をこのように調整するには、例えば塗布する接着剤の坪量をコントロールしたり、塗布する接着剤の面積をコントロールしたりすればよい。
【００３７】
接合領域ＫＳF，ＫＳBの単位面積当たりの長手方向接合強度の測定方法は次のとおりである。
（１）腹側部Ａにおける接合領域ＫＳFからのサンプル片の採取方法
サンプル片の幅方向は、接合領域ＫＳFから腹側外装体２Ａの股下側下端部に沿う、おむつ幅方向（Ｘ方向）の中心域における幅５０ｍｍの領域とする。サンプル片の長手方向は、５０ｍｍ幅の両端の位置から、腹側外装体のウエスト端部側に向かっておむつ長手方向（Ｙ方向）に５０ｍｍの長さの領域とする。この５０ｍｍ×５０ｍｍの領域を、外装体と、吸収性本体のうち表面シート、吸収コア及び肌側に起立する立体不織布を取り除いたシート部材とが接合領域ＫＳFで接合された状態で切り出す。
（２）背側部Ｂにおける接合領域ＫＳBからのサンプル片の採取方法
サンプル片の幅方向は、接合領域ＫＳBから背側外装体２Ｂの股下側下端部に沿う、おむつ幅方向（Ｘ方向）の中央域における幅５０ｍｍの領域とする。サンプル片の長手方向は、５０ｍｍ幅の両端の位置から、背側外装体のウエスト端部側に向かっておむつ長手方向（Ｙ方向）に５０ｍｍの長さの領域とする。この５０ｍｍ×５０ｍｍの領域を、外装体と、吸収性本体のうち表面シート、吸収コア及び肌側に起立する立体不織布を取り除いたシート部材とが接合領域ＫＳBで接合された状態で切り出す。
（３）サンプル片の長手方向接合強度の測定
得られた各サンプル片を、テンシロン引っ張り試験機（オリエンテック社製、商品名「ＲＴＡ−１００」）のチャック間（チャック間距離１５ｍｍ）に、おむつ股下側に相当する側から剥がせるように把持させる。その際、長手方向に１０ｍｍの部分をチャックへの把持部分とし、その領域に接合部分がある場合には、予め剥離させておく。次いで、おむつのウエスト端部側に向けて剥がれるように、サンプル片を引張速度３００ｍｍ／ｍｉｎで引っ張り、接合領域ＫＳF，ＫＳBがすべて剥離し終えたときの積分荷重（Ｎ）を求める。そして、測定したサンプル片内の面積（５０ｍｍ×４０ｍｍ）で積分荷重（Ｎ）を除す。得られた値を、接合領域ＫＳF，ＫＳBの単位面積当たりの長手方向接合強度とする。
【００３８】
一方、接合領域ＫＳF，ＫＳBの単位面積当たりの幅方向接合強度は、長手方向接合強度の測定において、測定サンプルの引っ張りの方向を９０度回転させて測定する。
【００３９】
接合領域ＭＳの単位面積当たりの幅方向接合強度の測定方法は次のとおりである。
サンプル片の幅方向は、股下シート６のおむつ幅方向端部に沿う、おむつ幅方向（Ｘ方向）の中央域における５０ｍｍの領域とする。サンプル片の長手方向は、５０ｍｍ幅の両端の位置から、おむつ長手方向（Ｙ方向）に向かって５０ｍｍの長さの領域とする。この５０ｍｍ×５０ｍｍの領域を、股下シート６と、吸収性本体のうち表面シート、吸収コア及び肌側に起立する立体不織布を取り除いたシート部材とが接合領域ＭＳで接合された状態で切り出す。
得られたサンプル片を、テンシロン引っ張り試験機（オリエンテック社製、商品名「ＲＴＡ−１００」）のチャック間（チャック間距離１５ｍｍ）に、股下シート６の幅方向端部側から剥がせるように把持させる。その際、長手方向に１０ｍｍの部分をチャックへの把持部分とし、その領域に接合部分がある場合には、予め剥離させておく。次いで、おむつの幅方向中心側に向けて剥がれるように、サンプル片を引張速度３００ｍｍ／ｍｉｎで引っ張り、接合領域ＭＳがすべて剥離し終えたときの積分荷重（Ｎ）を求める。そして、測定したサンプル片の面積（５０ｍｍ×４０ｍｍ）で積分荷重（Ｎ）を除す。得られた値を、接合領域ＭＳの単位面積当たりの幅方向接合強度とする。
【００４０】
一方、接合領域ＭＳの単位面積当たりの長手方向接合強度は、幅方向接合強度の測定において、測定サンプルの引っ張りの方向を９０度回転させて測定する。
【００４１】
再び図２に戻ると、吸収性本体３は、その長手方向Ｙの腹側部２Ａ側の端部が、腹側部端部シート７ａで被覆されている。また吸収性本体３は、その長手方向Ｙの背側部２Ｂ側の端部が、背側部端部シート７ｂで被覆されている。腹側部端部シート７ａ及び背側部端部シート７ｂは、吸収性本体３の肌対向面側に配置されている。両端部シート７ａ，７ｂは、吸収性本体３の端部から吸収コア３３の構成材料であるフラッフパルプや高吸収性ポリマーが漏れ出ないようにするために用いられる。この目的のために、両端部シート７ａ，７ｂとしては、例えば各種の不織布を用いることができる。
【００４２】
腹側端部シート７ａ及び背側端部シート７ｂは、吸収性本体３の周縁から延出する部位において腹側外装体２Ａ及び背側外装体２Ｂと接合されている。詳細には図９に示すとおり、腹側端部シート７ａは、幅方向Ｘに延び、長手方向Ｙに間欠している複数条の腹側端部接合部７１ａにおいて、腹側外装体２Ａ及び吸収性本体３と接合している。一方、背側端部シート７ｂは、幅方向Ｘに延び、長手方向Ｙに間欠している複数条の背側端部接合部７１ｂにおいて、背側外装体２Ｂ及び吸収性本体３と接合している。
【００４３】
各端部接合部７１ａ，７１ｂは、所定幅を有するストライプ状に形成されている。しかし、各端部接合部７１ａ，７１ｂの形成パターンはこれに限られず、幅方向Ｘに沿って筋状に形成されている限り他のパターンで形成されていてもよい。例えばスパイラル状の接合パターンや、Ω字状の接合パターンを採用してもよい。各端部接合部７１ａ，７１ｂは、各端部シート７ａ，７ｂの幅方向Ｘの全域にわたって連続又は不連続に形成されている。長手方向Ｙにおいて隣り合う端部接合部７１ａ，７１ｂ間においては、各端部シート７ａ，７ｂと、各外装体２Ａ，２Ｂ及び吸収性本体３とは非接合状態になっている。
【００４４】
腹側端部シート７ａと吸収性本体３とが重なる領域ＬＳF（図９参照）の長手方向Ｙの長さは、上述した、腹側外装体２Ａと吸収性本体３との接合領域ＫＳF（図８参照）の長手方向の長さに対して５０％以下であることが好ましく、４５％以下であることが更に好ましく、３５％以下であることが一層好ましい。この値の下限値は、５％以上であることが好ましく、１０％以上であることが更に好ましく、１５％以下であることが一層好ましい。例えば領域ＬＳFの長手方向の長さは、接合領域ＫＳFの長手方向の長さに対して５％以上５０％以下であることが好ましく、１０％以上４５％以下であることが更に好ましく、１５％以上３５％以下であることが一層好ましくい。このようにすることで、腹側部Ａにおける柔らかさや通気性を向上させることが可能となる。
【００４５】
一方、背側部Ｂに関しては、背側端部シート７ｂと吸収性本体３とが重なる領域ＬＳB（図９参照）の長手方向Ｙの長さは、上述した、背側外装体２Ｂと吸収性本体３との接合領域ＫＳB（図８参照）の長手方向の長さに対して５０％以下であることが好ましく、４５％以下であることが更に好ましく、３５％以下であることが一層好ましい。この値の下限値は、５％以上であることが好ましく、１０％以上であることが更に好ましく、１５％以上であることが一層好ましい。例えば領域ＬＳBの長手方向の長さは、接合領域ＫＳBの長手方向の長さに対して５％以上５０％以下であることが好ましく、１０％以上４５％以下であることが更に好ましく、１５％以上３５％以下であることが一層好ましくい。このようにすることで、背側部Ｂにおける柔らかさや通気性を向上させることが可能となる。
【００４６】
本実施形態のおむつ１においては、おむつ１の厚み方向に沿って見たとき、腹側端部シート７ａ及び背側端部シート７ｂのいずれもが、先に述べた股下シート６と重なっていない。このことは、おむつ１の厚み方向における通気性の低下が抑制されるという点から有利である。
【００４７】
腹側端部シート７ａ及び背側端部シート７ｂを構成する材料に特に制限はないが、先に述べたとおり、腹側外装体２Ａ及び背側外装体２Ｂが、外層シート２２及び内層シート２３の２層構造である場合には、腹側端部シート７ａ及び背側端部シート７ｂは、外層シート２２と同材質のものであることが好ましい。このことは、おむつ外側の触感が均一になり、外装体と吸収性本体が分割しているにも関わらず、下着のような一体的な肌触りが得られる点から有利である。
【００４８】
図１０には、図２におけるＸ−Ｘ線断面図が示されている。同図に示すとおり、腹側端部シート７ａは、吸収性本体３の長手方向Ｙの端部から外方に延出しており、延出部分７ａ’が腹側外装体２Ａと接合している。延出部分７ａ’と腹側外装体２Ａとの接合は延出域接合部８において行われる。延出域接合部８における接合は例えば接着剤によって行うことができる。この場合、接着剤は、延出部分７ａ’における腹側外装体２Ａとの対向面に塗布されてもよく、あるいは腹側外装体２Ａにおける延出部分７ａ’との対向面に塗布されてもよい。また、延出部分７ａ’及び腹側外装体２Ａの双方に塗布されてもよい。延出部分７ａ’及び腹側外装体２Ａの双方に接着剤を塗布する場合、延出部分７ａ’に塗布した接着剤と、腹側外装体２Ａに塗布した接着剤とは、両者の接合状態において互いに重なってもよく、あるいはずれて配置されてもよい。なお図１０は、腹側部Ａにおける断面構造を示す図であるところ、背側部Ｂの断面構造は図１０と同様になっている。
【００４９】
図１０に示す延出域接合部８は、おむつ１の幅方向（紙面と直交する方向）に延び、かつ長手方向Ｙに間欠している。しかし、これに代えて、例えば腹側外装体２Ａにおける延出部分７ａ’との対向面に、隙間なく接着剤を塗布してもよい。別の態様として、図１１に示す態様を採用することもできる。図１１においては、腹側端部シート７ａと吸収性本体３とが重なる領域ＬＳFにおいて、吸収性本体３の周縁から外方に延出する所定幅の領域７２ａに、接着剤が連続して隙間なく塗布され、該接着剤によって腹側端部シート７ａと吸収性本体３とが接合されている。図１１中、領域７２ａは、左下がりのハッチングで示されている。領域７２ａよりも外方においては、幅方向Ｘに延び、長手方向Ｙに間欠している複数条の腹側端部接合部７１ａにおいて、腹側端部シート７ａと腹側外装体２Ａとが接合している。同様に、背側端部シート７ｂと吸収性本体３とが重なる領域ＬＳBにおいて、吸収性本体３の周縁から外方に延出する所定幅の領域７２ｂに、接着剤が連続して隙間なく塗布され、該接着剤によって腹側端部シート７ｂと吸収性本体３とが接合されている。図１１中、領域７２ｂは、左下がりのハッチングで示されている。領域７２ｂよりも外方においては、幅方向Ｘに延び、長手方向Ｙに間欠している複数条の腹側端部接合部７１ｂにおいて、背側端部シート７ｂと背側外装体２Ｂとが接合している。図１１に示す態様では、領域７２ａ，７２ｂに対応する腹側端部シート７ａ及び背側端部シート７ｂの領域に、接着剤を隙間なく塗布することができる。一方、腹側外装体２Ａ及び背側外装体２Ｂのうち、領域７２ａ，７２ｂよりも外方の領域に、幅方向Ｘに延び、長手方向Ｙに間欠して接着剤を塗布することができる。
【００５０】
なお念のために述べると、これまでに説明してきた各部位における寸法は、各弾性部材を伸長させて各部材を引き伸ばした状態での寸法（設計寸法）のことである。
【００５１】
以上、本発明をその好ましい実施形態に基づき説明したが、本発明は前記実施形態に制限されない。例えば前記実施形態は、本発明をパンツ型使い捨ておむつに適用した例であるが、本発明のパンツ型吸収性物品はこれ以外の吸収性物品、例えばショーツ型生理用ナプキン等にも同様に適用できる。
【００５２】
上述した実施形態に関し、本発明は更に以下のパンツ型吸収性物品を開示する。
＜１＞  着用者の腹側に配される腹側外装体と、着用者の背側に配される背側外装体と、該腹側外装体と該背側外装体との間を架け渡すようにこれらの外装体に固定された吸収性本体と、該吸収性本体の外面側に配置された股下シートとを具備し、該腹側外装体及び該背側外装体の縦方向に沿う両側縁部に該腹側外装体と該背側外装体とを接合して形成されたサイドシール部を有し、これにより構成された環状外装部を備えるパンツ型吸収性物品であって、
前記物品は、吸収性本体の延びる方向に沿う長手方向と、それに直交する幅方向とを有し、
吸収性本体は、着用者の肌に近い側に位置する表面シートと、着用者の肌から遠い側に位置する裏面シートと、両シート間に位置する吸収コアとを具備し、
吸収コアは、長手方向に沿う一条又は複数条の変形誘導領域を有し、
腹側外装体と吸収性本体との接合が、幅方向に延び、長手方向に間欠している複数条の腹側接合部において行われ、
背側外装体と吸収性本体との接合が、幅方向に延び、長手方向に間欠している複数条の背側接合部において行われ、
股下シートと裏面シートとの接合が、長手方向に延び、かつ幅方向に間欠している複数条の股下接合部において行われ、
腹側外装体と吸収性本体との接合領域ＫＳFと、股下シートと吸収性本体との接合領域ＭＳとが重なる領域ＳＧFの長手方向の長さが、接合領域ＫＳFの長手方向の長さの５０％以下であり、
背側外装体と吸収性本体との接合領域ＫＳBと、股下シートと吸収性本体との接合領域ＭＳとが重なる領域ＳＧBの長手方向の長さが、接合領域ＫＳBの長手方向の長さの５０％以下である、パンツ型吸収性物品。
【００５３】
＜２＞  腹側部において、重なり領域ＳＧFの長手方向の長さが、接合領域ＫＳFの長手方向の長さの、好ましくは４５％以下、更に好ましくは３５％以下であり、好ましくは５％以上、更に好ましくは１０％以上、一層好ましくは１５％以上であり、
重なり領域ＳＧFの長手方向の長さは、接合領域ＫＳFの長手方向の長さの５％以上５０％以下であることが好ましく、１０％以上４５％以下であることが更に好ましく、１５％以上３５％以下であることが一層好ましい前記＜１＞に記載のパンツ型吸収性物品。
＜３＞  背側部においては、重なり領域ＳＧBの長手方向の長さが、接合領域ＫＳBの長手方向Ｙの長さの、好ましくは４５％以下、更に好ましくは３５％以下であり、好ましくは５％以上、更に好ましくは１０％以上、一層好ましくは１５％以上であり、
重なり領域ＳＧBの長手方向の長さは、接合領域ＫＳBの長手方向の長さの５％以上５０％以下であることが好ましく、１０％以上４５％以下であることが更に好ましく、１５％以上３５％以下であることが一層好ましい前記＜１＞又は＜２＞に記載のパンツ型吸収性物品。
＜４＞  腹側外装体と吸収性本体との接合領域ＫＳFと、股下シートと吸収性本体との接合領域ＭＳとが重なる領域ＳＧFの長手方向の長さが、前記物品を長手方向に前後二等分する位置から腹側部側の股下シートの端部までの長さＭＳFに対して５０％以下であり、
背側外装体と吸収性本体との接合領域ＫＳBと、股下シートと吸収性本体との接合領域ＭＳとが重なる領域ＳＧBの長手方向の長さが、前記物品を長手方向に前後二等分する位置から背側部側の股下シートの端部までの長さＭＳBに対して５０％以下である前記＜１＞ないし＜３＞のいずれか１に記載のパンツ型吸収性物品。
＜５＞  パンツ型吸収性物品を長手方向に前後二等分する位置Ｍから腹側部側の股下シートの端部までの長さＭＳFに対して、重なり領域ＳＧFの長手方向の長さが、好ましくは３５％以下、更に好ましくは２５％以下であり、好ましくは２％以上、更に好ましくは５％以上、一層好ましくは１０％以上であり、
長さＭＳFに対する重なり領域ＳＧFの長手方向の長さは、好ましくは２％以上５０％以下であり、更に好ましくは５％以上３５％以下であり、一層好ましくは１０％以上２５％以下である前記＜１＞ないし＜４＞のいずれか１に記載のパンツ型吸収性物品。
【００５４】
＜６＞  パンツ型吸収性物品を長手方向に前後二等分する位置Ｍから背側部側の股下シートの端部までの長さＭＳBに対して、重なり領域ＳＧBの長手方向の長さが、好ましくは３５％以下、更に好ましくは２５％以下であり、好ましくは２％以上、更に好ましくは５％以上、一層好ましくは１０％以上であり、
長さＭＳBに対する重なり領域ＳＧBの長手方向の長さは、好ましくは２％以上５０％以下であり、更に好ましくは５％以上３５％以下であり、一層好ましくは１０％以上２５％以下である前記＜１＞ないし＜５＞のいずれか１に記載のパンツ型吸収性物品。
＜７＞  吸収性本体の腹側部側の端部及び背側部側の端部を覆う腹側端部シート及び背側端部シートが、該吸収性本体の肌対向面側に配置されており、
腹側端部シート及び背側端部シートは、吸収性本体の周縁から延出する部位において腹側外装体及び背側外装体と接合されている前記＜１＞ないし＜６＞のいずれか１に記載のパンツ型吸収性物品。
＜８＞  腹側端部シートが、幅方向に延び、長手方向に間欠している複数条の腹側端部接合部において、腹側外装体及び吸収性本体と接合しており、
背側端部シートが、幅方向に延び、長手方向に間欠している複数条の背側端部接合部において、背側外装体及び吸収性本体と接合している前記＜１＞ないし＜７＞のいずれか１に記載のパンツ型吸収性物品。
＜９＞  腹側端部シートと吸収性本体とが重なる領域ＬＳFの長手方向の長さが、腹側外装体と吸収性本体との接合領域ＫＳFの長手方向の長さに対して５０％以下であり、
背側端部シートと吸収性本体とが重なる領域ＬＳBの長手方向の長さが、背側外装体と吸収性本体との接合領域ＫＳBの長手方向の長さに対して５０％以下である前記＜１＞ないし＜８＞のいずれか１に記載のパンツ型吸収性物品。
＜１０＞  腹側端部シート及び背側端部シートが股下シートと重なっていない前記＜１＞ないし＜９＞のいずれか１に記載のパンツ型吸収性物品。
【００５５】
＜１１＞  腹側外装体が、外層シートと該外層シートの内側に配置された内層シートとを有し、該外層シートと腹側端部シートとが同材質のものであり、
背側外装体が、外層シートと該外層シートの内側に配置された内層シートとを有し、該外層シートと背側端部シートとが同材質のものである前記＜１＞ないし＜１０＞のいずれか１に記載のパンツ型吸収性物品。
＜１２＞  腹側端部シートと吸収性本体とが重なる領域ＬＳFにおいて吸収性本体の周縁から外方に延出する所定幅の領域に接着剤が連続して隙間なく塗布され、該接着剤によって腹側端部シートと吸収性本体とが接合されており、
背側端部シートと吸収性本体とが重なる領域ＬＳBにおいて吸収性本体の周縁から外方に延出する所定幅の領域に接着剤が連続して隙間なく塗布され、該接着剤によって背側端部シートと吸収性本体とが接合されている前記＜１＞ないし＜１１＞のいずれか一項に記載のパンツ型吸収性物品。
＜１３＞  吸収性本体は、吸収コアの左右両側縁又はその近傍から幅方向の中心側に向けて起立する第１立体ギャザーを有している前記＜１＞ないし＜１２＞のいずれか１に記載のパンツ型吸収性物品。
＜１４＞  股下シートは、長手方向に関し、吸収性本体における少なくとも股下部に配置されており、股下部を越えて腹側部Ａ及び背側部Ｂにまで延在している前記＜１＞ないし＜１３＞のいずれか１に記載のパンツ型吸収性物品。
＜１５＞  吸収性本体は、吸収コアの左右両側縁又はその近傍から幅方向中心側に向けて起立する第１立体ギャザーと、吸収コアの左右両側縁又はその近傍から幅方向外方側に向けて起立する第２立体ギャザーとを有し、
股下シートの幅が、左右の第２立体ギャザーの自由端間の距離と同じか又はそれよりも狭くなっている前記＜１＞ないし＜１４＞のいずれか一項に記載のパンツ型吸収性物品。
【００５６】
＜１６＞  股下シートの幅が、吸収コアの幅と略同じになっている前記＜１＞ないし＜１５＞のいずれか一項に記載のパンツ型吸収性物品。
＜１７＞  吸収性本体は、吸収コアの左右両側縁又はその近傍から幅方向中心側に向けて起立する第１立体ギャザーと、吸収コアの左右両側縁又はその近傍から幅方向外方側に向けて起立する第２立体ギャザーとを有し、
第１立体ギャザー及び第２立体ギャザーは、それらの基端部が同じ位置に位置している前記＜１＞ないし＜１６＞のいずれか一項に記載のパンツ型吸収性物品。
＜１８＞  基端部が長手方向に延びている前記＜１７＞に記載のパンツ型吸収性物品。
＜１９＞  吸収性本体は、吸収コアの左右両側縁又はその近傍から幅方向中心側に向けて起立する第１立体ギャザーと、吸収コアの左右両側縁又はその近傍から幅方向外方側に向けて起立する第２立体ギャザーとを有し、
第１立体ギャザー及び第２立体ギャザーは、吸収性本体における少なくとも股下部に形成されており、股下部を越えて腹側部及び背側部にまで延在している前記＜１＞ないし＜１８＞のいずれか一項に記載のパンツ型吸収性物品。
＜２０＞  吸収性本体は、吸収コアの左右両側縁又はその近傍から幅方向中心側に向けて起立する第１立体ギャザーを有し、
第１立体ギャザーは、その自由端及びその近傍に位置する糸状弾性部材を有しており、
糸状弾性部材は長手方向に延びており、
糸状弾性部材は伸長状態で、ギャザー形成用シートに固定されている前記＜１＞ないし＜１９＞のいずれか一項に記載のパンツ型吸収性物品。
【００５７】
＜２１＞  吸収性本体は、吸収コアの左右両側縁又はその近傍から幅方向外方側に向けて起立する第２立体ギャザーを有し、
第２立体ギャザーは、その自由端及びその近傍に位置する糸状弾性部材を有しており、
糸状弾性部材は長手方向に延びており、
糸状弾性部材は伸長状態で、ギャザー形成用シートに固定されている前記＜１＞ないし＜２０＞のいずれか一項に記載のパンツ型吸収性物品。
＜２２＞  吸収性本体は、吸収コアの左右両側縁又はその近傍から幅方向中心側に向けて起立する第１立体ギャザーと、吸収コアの左右両側縁又はその近傍から幅方向外方側に向けて起立する第２立体ギャザーとを有し、
第１立体ギャザー及び第２立体ギャザーは一枚のギャザー形成用シートから形成されている前記＜１＞ないし＜２１＞のいずれか一項に記載のパンツ型吸収性物品。
＜２３＞  変形誘導領域が、吸収性本体における少なくとも股下部に形成されている前記＜１＞ないし＜２２＞のいずれか一項に記載のパンツ型吸収性物品。
＜２４＞  変形誘導領域が、吸収性本体における股下部を越えて腹側部及び背側部にまで延在している前記＜１＞ないし＜２３＞のいずれか一項に記載のパンツ型吸収性物品。
＜２５＞  吸収性本体と股下シートとは、長手方向に延び、かつ幅方向に間欠している複数条の股下接合部において接合されている前記＜１＞ないし＜２４＞のいずれか一項に記載のパンツ型吸収性物品。
【００５８】
＜２６＞  股下接合部は、所定幅を有するストライプ状に形成されている前記＜２５＞に記載のパンツ型吸収性物品。
＜２７＞  股下接合部は、股下シートの長手方向全域にわたって連続又は不連続に形成されている前記＜２５＞又は＜２６＞に記載のパンツ型吸収性物品。
＜２８＞  裏面シートと股下シートとが、幅方向において隣り合う股下接合部間において非接合状態になっている前記＜２５＞ないし＜２７＞のいずれか１に記載のパンツ型吸収性物品。
＜２９＞  股下接合部のうち、幅方向の最も外方に位置する股下接合部は、その全長にわたって連続して形成されている前記＜２５＞ないし＜２８＞のいずれか１に記載のパンツ型吸収性物品。
＜３０＞  腹側外装体と吸収性本体との接合領域ＫＳFと、股下シートと吸収性本体との接合領域ＭＳとが重なる領域ＳＧFが、吸収コアの変形誘導領域と重なっておらず、
背側外装体と吸収性本体との接合領域ＫＳBと、股下シートと吸収性本体との接合領域ＭＳとが重なる領域ＳＧBが、吸収コアの変形誘導領域と重なっていない前記＜１＞ないし＜２９＞のいずれか１に記載のパンツ型吸収性物品。
【００５９】
＜３１＞  腹側外装体が矩形のシート状であり、背側外装体が矩形のシート状である前記＜１＞ないし＜３０＞のいずれか１に記載のパンツ型吸収性物品。
＜３２＞  吸収性本体が、長手方向に長い矩形状に形成されている前記＜１＞ないし＜３０＞のいずれか１に記載のパンツ型吸収性物品。
＜３３＞  吸収コアが、親水性繊維と高吸収性ポリマーとの混合積繊体を親水性コアラップシートによって被覆したものから構成されている前記＜１＞ないし＜３２＞のいずれか１に記載のパンツ型吸収性物品。
＜３４＞  腹側外装体及び背側外装体は、長手方向の長さが幅方向において均一になっている前記＜１＞ないし＜３３＞のいずれか１に記載のパンツ型吸収性物品。
＜３５＞  腹側外装体と背側外装体のいずれか一方の縦方向の長さが、当該外装体の一部において他方の外装体より長くなっている前記＜１＞ないし＜３４＞のいずれか１に記載のパンツ型吸収性物品。
【００６０】
＜３６＞  背側外装体がサイドシール部よりも長手方向において股下部側へ延出している前記＜１＞ないし＜３５＞のいずれか１に記載のパンツ型吸収性物品。
＜３７＞  腹側外装体と背側外装体とがサイドシール部で接合され、環状の外装部を形成している前記＜１＞ないし＜３６＞のいずれか１に記載のパンツ型吸収性物品。
＜３８＞  長手方向において隣り合う腹側接合部間及び背側接合部間において、吸収性本体と腹側外装体及び背側外装体とが非接合状態になっている前記＜１＞ないし＜３６＞のいずれか１に記載のパンツ型吸収性物品。
＜３９＞  長手方向の最も外方に位置する腹側接合部が、その全長にわたって連続して形成されている前記＜１＞ないし＜３８＞のいずれか１に記載のパンツ型吸収性物品。
＜４０＞  長手方向の最も内方に位置する腹側接合部が、その全長にわたって連続して形成されている前記＜１＞ないし＜３９＞のいずれか１に記載のパンツ型吸収性物品。
【００６１】
＜４１＞  長手方向の最も外方に位置する背側接合部、及び長手方向の最も内方に位置する背側接合部は、その全長にわたって連続して形成されている前記＜１＞ないし＜４０＞のいずれか１に記載のパンツ型吸収性物品。
＜４２＞  接合領域ＫＳFの単位面積当たりの長手方向接合強度が、接合領域ＭＳの単位面積当たりの幅方向接合強度よりも高い前記＜１＞ないし＜４１＞のいずれか１に記載のパンツ型吸収性物品。
＜４３＞  接合領域ＫＳBの単位面積当たりの長手方向接合強度が、接合領域ＭＳの単位面積当たりの幅方向接合強度よりも高い前記＜１＞ないし＜４２＞のいずれか１に記載のパンツ型吸収性物品。
＜４４＞  接合領域ＫＳFの単位面積当たりの幅方向接合強度が、接合領域ＭＳの単位面積当たりの長手方向接合強度よりも高い前記＜１＞ないし＜４３＞のいずれか１に記載のパンツ型吸収性物品。
＜４５＞  接合領域ＫＳBの単位面積当たりの幅方向接合強度が、接合領域ＭＳの単位面積当たりの長手方向接合強度よりも高い前記＜１＞ないし＜４４＞のいずれか１に記載のパンツ型吸収性物品。
＜４６＞  パンツ型使い捨ておむつである前記＜１＞ないし＜４５＞のいずれか１に記載のパンツ型吸収性物品。
【符号の説明】
【００６２】
１  パンツ型使い捨ておむつ（パンツ型吸収性物品）
２Ａ  腹側外装体
２Ｂ  背側外装体
１０  環状外装部
２１ａ  腹側接合部
２１ｂ  背側接合部
２２  外層シート
２３  内層シート
３  吸収性本体
３１  表面シート
３２  裏面シート
３３  吸収コア
３４  第１立体ギャザー
３４ａ  自由端
３５  第２立体ギャザー
３５ａ  自由端
３６  基端部
３７  ギャザー形成用シート
４  サイドシール部
６  股下シート
６ａ  股下接合部
７ａ  腹側部端部シート
７ｂ  背側部端部シート
Ａ  腹側部
Ｂ  背側部
Ｃ  股下部
【図１】
0005614899.tif 000002
【図２】
0005614899.tif 000003
【図３】
0005614899.tif 000004
【図４】
0005614899.tif 000005
【図５】
0005614899.tif 000006
【図６】
0005614899.tif 000007
【図７】
0005614899.tif 000008
【図８】
0005614899.tif 000009
【図９】
0005614899.tif 000010
【図１０】
0005614899.tif 000011
【図１１】
0005614899.tif 000012